(57)【特許請求の範囲】
【請求項１】
天井に配設された配設状態において、電装品が収納される電装箱を下面に備えた空気調和機であって、
前記電装箱は、
前記配設状態において下面が開口された箱形を呈し、側面から外側に突出した本体側係合部を有する電装箱本体と、
前記開口を閉鎖可能であるとともに、前記本体側係合部に係合する蓋体側係合部を有する板状の蓋体と、
を備え、
前記蓋体は、
前記蓋体側係合部と前記本体側係合部とを係合させることで前記電装箱本体に吊り下げ可能であり、
前記電装箱本体に吊り下げられた吊り下げ状態において物品を仮置きすることが可能な仮置き部を有し、
前記仮置き部は、前記開口を閉鎖する前記蓋体の平面部に対して、前記吊り下げ状態における前記蓋体の前記平面部の下端部が、前記蓋体が前記開口を閉鎖した状態における前記電装箱本体の内部側に直角に折り曲げられて前記平面部に垂直な面と、前記平面部に垂直な面の先端部分が前記平面部の内側に直角に折り曲げられて前記平面部に平行な面と、を有する断面Ｌ形状に折り返され、前記蓋体が前記開口を閉鎖した状態において前記電装箱本体の内部に収納される折り返し縁部であること、
を特徴とする空気調和機。
【請求項２】
天井に配設された配設状態において、電装品が収納される電装箱を下面に備えた空気調和機であって、
前記電装箱は、
前記配設状態において下面が開口された箱形を呈し、側面から外側に突出した本体側係合部を有する電装箱本体と、
前記開口を閉鎖可能であるとともに、前記本体側係合部に係合する蓋体側係合部を有する板状の蓋体と、
を備え、
前記蓋体は、
前記蓋体側係合部と前記本体側係合部とを係合させることで前記電装箱本体に吊り下げ可能であり、
前記電装箱本体に吊り下げられた吊り下げ状態において物品を仮置きすることが可能な仮置き部を有し、
前記仮置き部は、前記吊り下げ状態における前記蓋体から斜め上方に突出した突出部であること、
を特徴とする空気調和機。
【請求項３】
前記突出部は、前記吊り下げ状態における前記蓋体の平面部が切り起こされた切り起こし部であること、
を特徴とする請求項２に記載の空気調和機。
【発明の詳細な説明】
【技術分野】
【０００１】
本発明は、電装箱を備えた天井埋め込み型の空気調和機に関する。【０００２】
天井埋め込み型の空気調和機では、空気調和機の室内機が天井に埋め込まれている。このような天井埋め込み型の空気調和機のメンテナンス作業は、一般的に作業者が脚立といった踏み台に乗った状態での作業となり、取り外した部品を仮置きする場所に窮する場合が多い。【０００３】
このような問題を解消すべく、特許文献１には、電装箱の蓋体を電装箱本体または空気調和機本体に吊り下げ可能とされた空気調和機が開示されている。また、特許文献２には、電装品箱本体に、蓋を吊り下げて仮置き可能とされた空気調和機が開示されている。
【先行技術文献】
【特許文献】
【０００４】
【特許文献１】特開平１１−９４２９４号公報
【特許文献２】特開２０１１−２０８８５９号公報
【発明の概要】
【発明が解決しようとする課題】
【０００５】
しかしながら、上記特許文献１，２の空気調和機においては、電装箱の電装品のメンテナンス作業を行う場合には、蓋体を取り外すために外したねじを作業者が手に持ったままメンテナンス作業を行うか、またはねじをどこかに仮置きする必要がある。【０００６】
ねじを手に持ったまま作業する場合には、作業者の手の指のうち２、３本が拘束されるため、作業性が低下する。また、ねじを仮置きする場合には、置き場所には脚立の天板、床、作業着のポケットといった場所が考えられる。【０００７】
しかしながら、脚立の天板にねじを仮置きする場合には、作業者はねじを取るときに姿勢を大きく変える必要が生じ不便である、という問題があった。また、床にねじを仮置きする場合には、作業者は脚立を降りる必要が生じ、より一層不便である、という問題があった。また、作業者は、メンテナンス作業中は手袋を装着している場合が多い。このため、作業者のポケットにねじを入れる場合には、作業者は、ポケットからねじを取り出しづらい、という問題があった。【０００８】
本発明は、上記に鑑みてなされたものであって、電装箱内の電装品を容易にメンテナンスできる空気調和機を得ることを目的とする。
【課題を解決するための手段】
【０００９】
上述した課題を解決し、目的を達成するために、本発明にかかる空気調和機は、天井に配設された配設状態において、電装品が収納される電装箱を下面に備えた空気調和機であって、電装箱は、配設状態において下面が開口された箱形を呈し、側面から外側に突出した本体側係合部を有する電装箱本体と、開口を閉鎖可能であるとともに、本体側係合部に係合する蓋体側係合部を有する板状の蓋体と、を備え、蓋体は、蓋体側係合部と本体側係合部とを係合させることで電装箱本体に吊り下げ可能であり、電装箱本体に吊り下げられた吊り下げ状態において物品を仮置きすることが可能な仮置き部を有する。仮置き部は、開口を閉鎖する蓋体の平面部に対して、吊り下げ状態における蓋体の平面部の下端部が、蓋体が開口を閉鎖した状態における電装箱本体の内部側に直角に折り曲げられて平面部に垂直な面と、平面部に垂直な面の先端部分が平面部の内側に直角に折り曲げられて平面部に平行な面と、を有する断面Ｌ形状に折り返され、蓋体が開口を閉鎖した状態において電装箱本体の内部に収納される折り返し縁部である。
【発明の効果】
【００１０】
本発明にかかる空気調和機は、電装箱内の電装品を容易にメンテナンスできる、という効果を奏する。
【図面の簡単な説明】
【００１１】
【図１】本発明の実施の形態１にかかる空気調和機を模式的に示す図
【図２】本発明の実施の形態１にかかる空気調和機において、電装箱の蓋体が閉じた状態の室内機の筐体を下面側から見た斜視図
【図３】本発明の実施の形態１にかかる空気調和機において、電装箱の蓋体が電装箱に吊り下げられた状態の室内機の筐体を下面側から見た斜視図
【図４】本発明の実施の形態１にかかる電装箱における電装箱本体の形状を示す斜視図
【図５】本発明の実施の形態１にかかる電装箱における蓋体の形状を示す斜視図
【図６】本発明の実施の形態１にかかる電装箱の蓋体におけるＶＩ−ＶＩ断面図
【図７】本発明の実施の形態１にかかる電装箱の蓋体におけるＶＩＩ−ＶＩＩ断面図
【図８】本発明の実施の形態１にかかる電装箱本体が蓋体で閉じられた状態を示す斜視図
【図９】本発明の実施の形態１にかかる蓋体が電装箱本体に吊り下げられた状態を示す斜視図
【発明を実施するための形態】
【００１２】
以下に、本発明の実施の形態にかかる空気調和機を図面に基づいて詳細に説明する。なお、この実施の形態によりこの発明が限定されるものではない。
【００１３】
実施の形態１．
図１は、本発明の実施の形態１にかかる空気調和機１００を模式的に示す図である。空気調和機１００は、天井埋め込み型の室内機２と、室内外配線３を介して室内機２に接続される室外機１と、信号の伝送を行う信号線であるワイヤードリモコン配線５を介して室内機２に接続されたワイヤードリモコン４とを有する。室内外配線３には、室内機２と室外機１との間で信号の伝送を行うための信号線とが含まれる。ワイヤードリモコン配線５にはワイヤードリモコン４と室内機２との間で送受信される情報が伝送される。
【００１４】
室外機１は、室外機１の外郭筐体である直方体形状の外部パネル１ａと、圧縮機と、熱交換器と、ファンモータで駆動する送風機が設置されている。図１では室外機１の圧縮機、熱交換器、ファンモータおよび送風機の図示を省略している。
【００１５】
図２は、本発明の実施の形態１にかかる空気調和機１００において、電装箱２５の蓋体が閉じた状態の室内機２の筐体２１を下面側から見た斜視図である。図３は、本発明の実施の形態１にかかる空気調和機１００において、電装箱２５の蓋体が電装箱２５に吊り下げられた状態の室内機２の筐体２１を下面側から見た斜視図である。図２および図３では、空気調和機１００において筐体２１の底面を覆う化粧パネルが外された状態を示している。
【００１６】
室内機２は、板材を方形状に折り曲げて形成される筐体２１と、筐体２１の下面に取付けられる図示しない化粧パネルとを有する。図１においては、室内機２における化粧パネルを外した状態を示している。筐体２１の下面は、室内機２が天井に配設された室内機２の配設状態において、室内の床面に対向する面である。
【００１７】
筐体２１は図示しない固定ボルトにより天壁に固定される。また筐体２１は、筐体２１の内部中央に設置されるファンモータで駆動する送風機２２と、筐体２１の内部中央に設置されるベルマウス２３と、複数の吐き出し口２４と、１つの吐き出し口２４とベルマウス２３との間に設置された電装箱２５と、送風機２２を囲うように設置される熱交換器とを有する。図２では室内機２に設置されるファンモータおよび熱交換器の図示を省略している。室内機２のファンモータには、電源配線６を介して電力が供給される。
【００１８】
図１に示す空気調和機１００では、室内機２の熱交換器と室外機１の圧縮機と室外機１の熱交換器とにより冷凍サイクルが構成される。空気調和機１００の通常運転時においては、送風機２２が回転することで生じる気流が室内機２の熱交換器を通ることで冷風または暖風となり、吐き出し口２４から吹き出されることで室内の冷房を行い、または暖房を行う。冷房運転時またはドライ運転時には室内機２の熱交換器が蒸発器として機能し、暖房運転時には室内機２の熱交換器が凝縮器として機能する。
【００１９】
電装箱２５は、細長い直方体形状を呈する板金製の箱体である電装箱本体３０と、細長い長方形の板状を呈する板金製の蓋体４０とによって構成されている。電装箱本体３０は、筐体２１の下面に固定され、蓋体４０は、配設状態において電装箱２５の底面となる状態で、電装箱本体３０に形成された後述する開口部３０ｈを覆って開口部３０ｈを閉鎖可能とされている。
【００２０】
図４は、本発明の実施の形態１にかかる電装箱２５における電装箱本体３０の形状を示す斜視図である。図４においては、電装箱２５が筐体２１の下面に固定された状態と上下関係が逆となっている。電装箱本体３０は、配設状態において電装箱本体３０の上部となり、細長い略長方形を呈する天板３０ａと、天板３０ａの縁部から延設された側面である側面板３０ｂ，側面板３０ｃ，側面板３０ｄ，側面板３０ｅ，側面板３０ｆ，側面板３０ｇと、を備えて構成されている。そして、電装箱２５の配設状態において下方となる位置に、側面板３０ｂ，側面板３０ｃ，側面板３０ｄ，側面板３０ｅ，側面板３０ｆ，側面板３０ｇの下端部を縁部とする開口部３０ｈが天板３０ａと対向して形成されている。すなわち、電装箱本体３０は、室内機２が天井に配設された室内機２の配設状態において下面が開口された箱形を呈する。
【００２１】
天板３０ａの長辺の縁部から延設された側面板である側面板３０ｂには、本体側係合部である２つの本体側係合タブ３１が、天板３０ａと平行に、電装箱本体３０の外側に延出した状態で設けられている。本体側係合タブ３１は、板金加工により側面板３０ｂと一体に形成されている。すなわち、本体側係合タブ３１は、電装箱本体３０の側面から外側に突出した状態で設けられている。本体側係合タブ３１は、蓋体４０を電装箱本体３０に取り付ける際の本体側係合部である。また、本体側係合タブ３１は、蓋体４０を電装箱本体３０に吊り下げる際に後述する蓋体側係合孔４３と着脱自在に係合する本体側係合部としての機能も有する。
【００２２】
天板３０ａの長辺の縁部から延設された側面板である側面板３０ｅには、２つの本体側ねじ止めタブ３２が、天板３０ａと平行に、電装箱本体３０の外側に延出した状態で設けられている。本体側ねじ止めタブ３２は、板金加工により側面板３０ｅと一体に形成されている。また、平面視において、長方形状を呈する本体側ねじ止めタブ３２の中央部には、後述するねじ５１でねじ止めするための貫通孔３２ａが設けられている。
【００２３】
そして、電装箱本体３０内には、空気調和機１００の制御に用いられる各種のアクチュエータおよびセンサ、ワイヤードリモコン４に接続される電気基板といった図示しない電装品が収められている。
【００２４】
図５は、本発明の実施の形態１にかかる電装箱２５における蓋体４０の形状を示す斜視図である。図６は、本発明の実施の形態１にかかる電装箱２５の蓋体４０におけるＶＩ−ＶＩ断面図である。図７は、本発明の実施の形態１にかかる電装箱２５の蓋体４０におけるＶＩＩ−ＶＩＩ断面図である。蓋体４０は、平面視において長方形状を呈する板状の平面部４０ａと、蓋体側ねじ止めタブ４１と、折り返し縁部４２と、蓋体側係合孔４３と、切り起こし部４４と、を備えて構成されている。
【００２５】
蓋体側ねじ止めタブ４１は、平面部４０ａにおける一方の長辺に、平面部４０ａの外側に延出した状態で設けられている。蓋体側ねじ止めタブ４１は、溶接によって平面部４０ａと一体に接合されている。平面視において長方形状を呈する蓋体側ねじ止めタブ４１の中央部には、後述するねじ５１でねじ止めするためのだるま孔である貫通孔４１ａが打ち抜き加工によって設けられている。
【００２６】
折り返し縁部４２は、平面部４０ａにおける一方の長辺側の縁部が断面Ｌ形状に折り返し加工されて形成されている。すなわち、折り返し縁部４２は、平面部４０ａにおける一方の長辺側の縁部を、平面部４０ａに対して電装箱本体３０の内部側に直角に折り曲げた後、折り曲げた部分の先端部分が平面部４０ａの内側に直角に折り曲げられている。したがって、折り返し縁部４２は、平面部４０ａから１８０度折り返して形成されている。これにより、平面部４０ａにおける一方の長辺側の縁部と折り返し縁部４２とによって、断面Ｕ形状が構成されている。そして、折り返し縁部４２は、後述するように蓋体４０が電装箱本体３０に吊り下げられた吊り下げ状態において蓋体４０の下端部に位置し、ねじといった部品を含む、メンテナンス作業に必要な物品を作業者に近い位置に仮置きすることが可能な仮置き部として使用可能である。ここで、折り返し縁部４２は、平面部４０ａに垂直な面が、物品が載置される面となり、平面部４０ａに平行な面が、物品の落下を防ぐ面となる。
【００２７】
ここで、電装箱本体３０の内部側は、蓋体４０が電装箱本体３０に取り付けられた際の電装箱本体３０の天板３０ａ側である。すなわち、折り返し縁部４２は、平面部４０ａにおいて、後述するように蓋体４０が電装箱本体３０に取り付けられた際に電装箱本体３０の内部側となる側の一面に設けられている。また、折り返し縁部４２は、後述するように蓋体４０が電装箱本体３０に吊り下げられた際の鉛直方向上側に折り返されている。すなわち、折り返し縁部４２の折り返された先端部は、後述するように蓋体４０が電装箱本体３０に吊り下げられた際に鉛直方向上側を向いている。
【００２８】
蓋体側係合孔４３は、蓋体４０を電装箱本体３０に取り付ける際の蓋体側係合部であり、平面部４０ａにおける他方の長辺側の縁部領域に、打ち抜き加工によって形成されている。蓋体側係合孔４３は、電装箱本体３０の本体側係合タブ３１が係合可能な形状に設けられており、本体側係合タブ３１と着脱自在に係合する。また、蓋体側係合孔４３は、蓋体４０が電装箱本体３０に吊り下げられる際に本体側係合タブ３１と着脱自在に係合する蓋体側係合部としての機能も有する。
【００２９】
切り起こし部４４は、蓋体４０が電装箱本体３０に吊り下げられた吊り下げ状態において平面部４０ａから斜め上方に突出した突出部である。切り起こし部４４は、平面部４０ａにおける長手方向における一端側の領域の一部が切り起こされて平面部４０ａから突出している。切り起こし部４４は、平面部４０ａにおいて、後述するように蓋体４０が電装箱本体３０に取り付けられた際に電装箱本体３０の内部側となる側の一面に設けられている。したがって、切り起こし部４４は、平面部４０ａにおいて折り返し縁部４２が設けられている側の面に突出している。また、切り起こし部４４において平面部４０ａから起こされた側の端部は、後述するように蓋体４０が電装箱本体３０に吊り下げられた吊り下げ状態において斜め上方を向いている。これにより、切り起こし部４４は、袋およびケーブル類といった、メンテナンス作業に必要な物品を掛けて仮置きすることが可能な仮置き部として使用可能である。
【００３０】
図８は、本発明の実施の形態１にかかる電装箱本体３０が蓋体４０で閉じられた状態を示す斜視図である。電装箱本体３０は、空気調和機１００の使用時には延焼防止およびノイズ対策といった観点から、図２および図８に示すように開口部３０ｈが蓋体４０で閉じられる。蓋体４０は、蓋体４０の蓋体側係合孔４３に電装箱本体３０の本体側係合タブ３１を挿通して係合させ、電装箱本体３０の本体側ねじ止めタブ３２における貫通孔３２ａと、蓋体４０の蓋体側ねじ止めタブ４１における貫通孔４１ａとにねじ５１を通して締結することで固定される。
【００３１】
図９は、本発明の実施の形態１にかかる蓋体４０が電装箱本体３０に吊り下げられた状態を示す斜視図である。室内機２が天井に配設された配設状態において、電装箱本体３０は、側面である側面板３０ｂ，側面板３０ｃ，側面板３０ｄ，側面板３０ｅ，側面板３０ｆ，および側面板３０ｇが、鉛直方向と平行な状態とされている。また、電装箱本体３０の本体側係合タブ３１は、水平方向と平行な状態とされている。ここで、蓋体側ねじ止めタブ４１を鉛直方向下側とし、平面部４０ａを鉛直方向と平行な状態として、蓋体４０の蓋体側係合孔４３に電装箱本体３０の本体側係合タブ３１を挿通して係合させる。これにより、図３および図９に示すように蓋体４０を電装箱本体３０に吊り下げることができる。
【００３２】
つぎに、上記のように構成された電装箱２５を備えて天井に配設された室内機２の電装箱２５に収納された電装品のメンテナンスを行う場合について説明する。作業者は、まず、脚立の上に乗り、化粧パネルを取り外す。つぎに、露出した電装箱２５において電装箱本体３０に蓋体４０を固定しているねじ５１を外し、蓋体４０の蓋体側係合孔４３から電装箱本体３０の本体側係合タブ３１を引き抜いて蓋体４０を電装箱本体３０から取り外す。
【００３３】
つぎに、蓋体４０の蓋体側係合孔４３に電装箱本体３０の本体側係合タブ３１を挿通して係合させる。このとき、電装箱本体３０の本体側ねじ止めタブ３２と、蓋体４０の蓋体側ねじ止めタブ４１とはねじ固定しない。これにより、図２および図９に示すように蓋体４０を電装箱本体３０に吊り下げることができる。そして、作業者は、この状態で電装品のメンテナンス作業を実施する。
【００３４】
ここで、図９に示すように蓋体４０を電装箱本体３０に吊り下げることで、平面部４０ａにおける一方の長辺側の縁部と折り返し縁部４２とによって、上部が開放された断面Ｕ形状が蓋体４０の下端部に構成されている。このため、室内機２では、取り外したねじ５１を折り返し縁部４２に仮置きすることが可能である。
【００３５】
ねじ５１を折り返し縁部４２に仮置きしてメンテナンス作業を実施する場合には、手にねじ５１を持ったままメンテナンス作業を行う場合と比べて、作業者の手の自由度が大きくなるため、作業が容易になり作業効率が向上する。
【００３６】
また、ねじ５１を折り返し縁部４２に仮置きしてメンテナンス作業を実施する場合には、ねじ５１を床または他の場所に仮置きしてメンテナンス作業を行う場合と比べて、作業者の脚立の上り下りの回数を減らすことができるため、作業が容易になり作業効率が向上する。
【００３７】
また、脚立の天板の上にねじ５１を仮置きした場合には、作業者が脚立の上で姿勢を変える必要があり、またねじ５１を踏んでしまい体勢を崩してしまう可能性がある。これに対して、ねじ５１を折り返し縁部４２に仮置きしてメンテナンス作業を実施する場合には、作業者が脚立の上で姿勢を変えることなくねじ５１を取ることができ、またねじ５１を踏んで体勢を崩すこともないため、作業が容易になり作業効率が向上する。
【００３８】
また、電装品のメンテナンス作業においては、脚立の上で、スイッチの切り替え、およびケーブル類の取り付けといった作業が行われる。
【００３９】
ここで、図９に示すように蓋体４０を電装箱本体３０に吊り下げることで、切り起こし部４４に、袋またはケーブル類といった作業用具または部品を一時的に掛けることが可能となる。これにより、ケーブル類を視界の外に垂らさず、視界の中に留めた状態で作業を行うことができ、必要時にケーブル類を探す必要がないため、作業効率が向上する。また、交換部品といった小物を袋に入れて切り起こし部４４に掛けておくことで、交換部品を取るために何度も脚立の上り下りをすること無く作業を進められるため、作業が容易になり作業効率が向上する。
【００４０】
したがって、本実施の形態にかかる電装箱２５を用いることで、電装箱２５に収納された電装品のメンテナンス時の作業が容易になり作業性が向上する。
【００４１】
なお、上記においては、図９に示すように蓋体４０を電装箱本体３０に吊り下げた場合に、平面部４０ａにおける一方の長辺側の縁部と折り返し縁部４２とによって、上部が開放された断面Ｕ形状が蓋体４０の下端部に構成される場合について示したが、折り返し縁部４２に部品を仮置きできれば、折り返し縁部４２の折り返し角度は１８０度よりも小さくてもかまわない。
【００４２】
また、平面部４０ａにおける電装箱本体３０の内部側となる面、または電装箱本体３０の外部側となる面に折り返し縁部４２と同様の断面Ｌ形状部を設けて、仮置き部として用いることも可能である。ただし、折り返し縁部４２は、通常時に電装箱本体３０の内部に収納されるため、電装箱２５の外部の物との接触が無く、好ましい。
【００４３】
また、切り起こし部４４は、平面部４０ａにおける電装箱本体３０の外部側に突出させてもよい。ただし、切り起こし部４４は、通常時に電装箱本体３０の内部に収納されるため、電装箱２５の外部の物との接触が無く、好ましい。
【００４４】
また、上記においては、天井埋め込み型の空気調和機１００について示したが、上述した電装箱２５を天吊型の空気調和機に適用することで、上記と同様にメンテナンス時の作業性を向上させることができる。したがって、天井に室内機が配設される空気調和機において、室内機の下面に電装箱２５を配設することで、上述した効果を得ることができる。
【００４５】
上述したように、本実施の形態１にかかる空気調和機１００においては、電装箱２５内の電装品をメンテナンスする際に、蓋体４０を電装箱本体３０に吊り下げた吊り下げ状態において蓋体４０の下端部に設けられた折り返し縁部４２に、ねじ５１といった小さな物品を仮置きすることができる。これにより、空気調和機１００では、メンテナンス作業時に、作業者が姿勢を大きく変える必要が無いため、作業が容易になり作業効率を向上させることができる。
【００４６】
また、空気調和機１００においては、電装箱２５内の電装品をメンテナンスする際に、蓋体４０を電装箱本体３０に吊り下げた吊り下げ状態において蓋体４０の平面部４０ａの切り起こし部４４に、袋またはケーブル類といった作業用具または部品を仮置きすることができる。これにより、空気調和機１００では、切り起こし部４４に掛けた袋に交換部品といった小物を入れておくことができ、交換部品を取るための作業者の脚立の上り下りが不要であり、作業が容易になり作業効率が向上する。また、ケーブル類を視界の中に留めた状態で作業を行うことができ、必要時にケーブル類を探す必要がないため、作業が容易になり作業効率が向上する。
【００４７】
したがって、本実施の形態１にかかる空気調和機１００によれば、電装箱２５内の電装品を容易にメンテナンスできる、という効果を奏する。
【００４８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４９】
１  室外機、１ａ  外部パネル、２  室内機、３  室内外配線、４  ワイヤードリモコン、５  ワイヤードリモコン配線、６  電源配線、２１  筐体、２２  送風機、２３  ベルマウス、２４  吐き出し口、２５  電装箱、３０  電装箱本体、３０ａ  天板、３０ｂ，３０ｃ，３０ｄ，３０ｅ，３０ｆ，３０ｇ  側面板、３０ｈ  開口部、３１  本体側係合タブ、３２  本体側ねじ止めタブ、３２ａ，４１ａ  貫通孔、４０  蓋体、４０ａ  平面部、４１  蓋体側ねじ止めタブ、４２  折り返し縁部、４３  蓋体側係合孔、４４  切り起こし部、５１  ねじ、１００  空気調和機。
【図１】
0006762426.tif 000002
【図２】
0006762426.tif 000003
【図３】
0006762426.tif 000004
【図４】
0006762426.tif 000005
【図５】
0006762426.tif 000006
【図６】
0006762426.tif 000007
【図７】
0006762426.tif 000008
【図８】
0006762426.tif 000009
【図９】
0006762426.tif 000010